(57)【要約】      （修正有）【課題】親機と子機を備え、親機と子機間を近距離無線通信で情報通信を行い、子機がバッテリー駆動である電子投票表示機用子機の子機において、子機のバッテリー残量が一定レベル以下になった場合、バッテリーの交換を促す事を表示する機能を持った電子投票集計表示機の子機を提供する。【解決手段】子機３１は近距離無線通信機能と、２個以上の線材端スイッチ１１と、バッテリー電源と、電源スイッチ３２と、バッテリー注意ＬＥＤ３４とを具備し、親機は近距離無線通信機能と、表示部と、投票開始スイッチと、演算部を具備し、該線材端スイッチを入れて投票された数量を、表示部に表示する電子投票集計表示機において、該子機の電源スイッチを入れた後、子機動作中に、子機のバッテリー残量が設定レベル以下になった場合、バッテリー注意ＬＥＤ３４が点灯するように構成する。【選択図】図１
0003154129.tif 000002
【実用新案登録請求の範囲】
【請求項１】
親機と１個以上の子機を備え、親機と子機間を近距離無線通信で情報のやり取りを行い、子機は近距離無線通信機能と、２個以上の線材端スイッチと、バッテリー電源と、電源スイッチと、バッテリー注意ＬＥＤとを具備し、親機は近距離無線通信機能と、表示部と、投票開始スイッチと、演算部を具備し、該線材端スイッチを入れて投票された数量を、表示部に表示する電子投票集計表示機において、該子機の電源スイッチを入れた後、子機動作中に、子機のバッテリー残量が設定レベル以下になった場合、バッテリー注意ＬＥＤが点灯する事を特徴とするバッテリー注意表示付き電子投票集計表示機用子機。
【考案の詳細な説明】
【技術分野】
【０００１】
本考案は、バッテリー注意表示付き電子投票集計表示機用の子機に関するものである。
【背景技術】
【０００２】
近年、アンケート投票集計用機器として、いくつかの電子投票集計の提案がなされている。本考案者も、実願２００９−４９９３号、電子投票集計表示機にて、親機と１個以上の子機を備え、親機と子機間を近距離無線通信で情報のやり取りを行う電子投票集計表示機において、子機は近距離無線通信機能と、２個以上の線材端スイッチと、電源スイッチと、親機とのネットワーク状態表示具とを具備し、親機は近距離無線通信機能と、表示部と、投票開始スイッチと、演算部とを具備し、該線材端スイッチを入れて投票された数量を、表示部に表示する事を特徴とする電子投票集計表示機を提案している。
【０００３】
しかしながら、バッテリー駆動の電子投票集計表示機の子機は、親機との間で頻繁に近距離通信を行う事で、バッテリーを消費し、子機のバッテリー残量が少ない状態で子機を使用した場合、子機からの投票情報が親機に発信されない状態が発生する危険性を秘めていた。
【０００４】
バッテリーの電圧が低下した子機や、バッテリー切れの子機を使用したアンケート投票参加者が、線材端スイッチを押して投票しても、結果に反映されない事は、電子投票集計表示機としては致命的欠陥といえる。
【０００５】
バッテリー切れの対策としては、アンケート投票開始前に、全ての子機のバッテリーを新品に交換する事も考えられるが、これは不経済である。また、子機のバッテリーを一つ一つ取り出し、バッテリー残量を確認する事は、非常に手間であり嫌がられていた。
【０００６】
使用者からは、子機自体がバッテリー残量を検知し、親機との通信に支障が出る事が予測されるバッテリー残量以下になった場合、子機自身がその事を使用者に通知してくれる機能を望まれていた。
【特許文献１】実願２００９−４９９３号
【考案の開示】
【考案が解決しようとする課題】
【０００７】
本考案は、親機と子機を備え、親機と子機間を近距離無線通信で情報通信を行い、子機がバッテリー駆動である電子投票表示機用子機の子機において、子機のバッテリー残量が一定レベル以下になった場合、バッテリーの交換を促す事を表示する機能を持った電子投票集計表示機の子機を提供することにある。
【課題を解決するための手段】
【０００８】
上記目的を達成するため本考案のバッテリー表示付き電子投票集計表示機は、親機と１個以上の子機を備え、親機と子機間を近距離無線通信で情報のやり取りを行い、子機は近距離無線通信機能と、２個以上の線材端スイッチと、バッテリー電源と、電源スイッチと、バッテリー注意ＬＥＤとを具備し、親機は近距離無線通信機能と、表示部と、投票開始スイッチと、演算部を具備し、該線材端スイッチを入れて投票された数量を、表示部に表示する電子投票集計表示機において、該子機の電源スイッチを入れた後、子機動作中に、子機のバッテリー残量が設定レベル以下になった場合、バッテリー注意ＬＥＤが点灯する事を特徴とする。
【考案の効果】
【０００９】
本考案のバッテリー表示付き電子投票集計表示機用子機は、子機のバッテリー残量が一定レベル以下になった時、バッテリー交換を促すバッテリー注意ＬＥＤを点灯させる事で、使用者に子機のバッテリー交換を促し、バッテリーを交換する事で、親機と子機間の通信を円滑に行わせる事を可能としている。
【考案を実施するための最良の形態】
【００１０】
バッテリー注意ＬＥＤの周辺に、「ＬＥＤ点灯時、バッテリー交換必要」など、バッテリー注意ＬＥＤ点灯時に、バッテリー交換を促す旨を表示するが望ましい。
【実施例１】
【００１１】
本考案の実施形態を、９Ｖのバッテリー駆動の子機を例として、詳しく説明する。
【００１２】
図１は、本考案の電子投票集計表示機用子機の斜視図である。１１は線材端スイッチを示し、２１は線材、３１は子機、３２は電源スイッチ、３３は電源オン表示ＬＥＤ、３４はバッテリー注意ＬＥＤである。子機内部には、電源回路、比較回路も具備している。
【００１３】
図１では、線材２１、電源スイッチ３２、電源オン表示ＬＥＤ３３、バッテリー注意ＬＥＤ３４が同じ面に配されているが、配置はこれに限定するものではなく、バッテリー注意ＬＥＤ３４などを最広面に配する場合もある。
【００１４】
電源スイッチ３２が入れられることで、子機３１は起動し、電源オン表示ＬＥＤ３３も点灯する。電源が入れられることで、比較回路は、子機稼動間は常時バッテリー電圧を確認し、バッテリー電圧が設定電圧以下となった場合、バッテリー注意ＬＥＤ３４を点灯する。
【００１５】
また、バッテリー電圧が、バッテリー注意ＬＥＤ３４も点灯できない程度以下に低下した場合、電源オン表示ＬＥＤ３３も点灯せず、この場合、バッテリー残量が完全に不足している事は、誰の目にも明らかとなる。
【００１６】
バッテリー注意ＬＥＤ３４を点灯させる基準となる設定電圧は、バッテリー電圧に対し、電圧がどこまで低下した場合、親機との通信に不具合が出るかを確認し、限界電圧を測定する。また子機３１としての動作を繰り返した場合、２時間から３時間程度の間通信可能である設定電圧を測定する。
【００１７】
限界電圧、設定電圧は子機３１の回路及び、線材端スイッチの数、さらに親機の通信回路によってバッテリーの消費速度が異なり、通信可能時間の設定などでも大きく異なり、考慮が必要である。
【００１８】
確認した機器の場合、バッテリーの定格電圧は９Ｖであったが、親機との通信に不具合が出る限界電圧は６．６Ｖであった。また、子機３１としての動作を繰り返し、２時間程度の通信可能である電圧は、７．１Ｖであった。このため、子機３１の回路上には、設定電圧を７．１Ｖとして、バッテリーの電圧低下状態を検地する比較回路（コンバレータ）を組み込み、バッテリー電圧が７．１Ｖ以下に低下した時バッテリー注意ＬＥＤ３３が点灯するように構成した。設定電圧の値は、限界電圧までに至る時間考慮によって、さまざまに設定する場合があり、限界電圧の６．６Ｖや、６．７Ｖなどに設定する場合もある。
【００１９】
バッテリー電源は、乾電池を使用するが、乾電池の種類はマンガン乾電池、アルカリマンガン乾電池、ニッケル系一次電池、オキシライド乾電池、酸化銀電池、水銀電池、空気亜鉛電池、リチウム電池など、種類は問わない。
【産業上の利用可能性】
【００２０】
本考案の電子投票集計表示機用子機を、アンケート投票集計機の子機として使用する場合、子機自体がバッテリーの残量確認をする事で、適切なタイミングでのバッテリー交換が可能となる。
【００２１】
また、知らぬ間にバッテリーが電圧低下したことにより動作しなくなった子機を、そのまま投票用に使用してしまうなどの、問題を起こす恐れが低くなり、投票者も安心してアンケート投票に参加でき、アンケート集計主催者も安心して機器を使用してもらう事ができる。
【図面の簡単な説明】
【００２２】
【図１】本考案のバッテリー注意表示付き電子投票集計表示機における、線材端スイッチ５個を具備する子機を示す斜視図である。
【符号の説明】
【００２３】
１１  線材端スイッチ
２１  線材
３１  子機
３２  電源スイッチ
３３  電源オン表示ＬＥＤ
３４  バッテリー注意ＬＥＤ
【図１】
0003154129.tif 000003